(57)【特許請求の範囲】
【請求項１】
下側と左右両側の周縁が密封され、上側に開封部が設けられた防水ケース１と、
前記防水ケース１の前記上側を前記防水ケース１の両面側から挟み込む密閉部２と、
前記密閉部２を覆うカバー部１０と、
を備え、
前記密閉部２は、
細長い帯状の形状を有し、且つ、前記密閉部２の幅方向における中央に前記密閉部２の長さ方向に沿って形成された折り部３と、
前記折り部３において前記密閉部２を折りたたんだ際に外側に位置する外表面と、内側に位置する内表面と、
前記外表面に、前記折り部３を挟むように前記外表面に形成された複数の凸部４からなる２つの凸部列と、
前記内表面に、前記凸部列の一方に前記密閉部を挟んで対向するように形成された突起５と、
前記内表面に、前記凸部列の他方に前記密閉部を挟んで対向するように形成された凹溝６と、
を有し、
前記カバー部１０は、
前記折り部３において前記密閉部２を折りたたんだ状態での前記密閉部２の前記外表面を覆い、
前記密閉部２を挟む２つのユニット（ｕｎｉｔ）（１０ａ、１０ｂ）を有し、
前記各ユニットは、
他方の前記ユニットと対向する内側面と、前記内側面と対向する外側面とを有し、
一方の前記ユニットの前記内側面の上側には、ガイド凸部１１が設けられ、
他方の前記ユニットの前記内側面の上側には、前記ガイド凸部１１と係合するガイド凹溝１２が設けられ、
前記各ユニットの前記内側面の下側には、折りたたまれた状態の前記密閉部２の形状に対応する形状を持つ圧着溝１３が設けられ、
前記ガイド凸部１１と前記ガイド凹溝１２との下側にスプリング１４が装着され、
前記カバー部１０の両側の上部には開口部１５が形成されているヒンジ部１６が設けられ、
前記ヒンジ部１６の外側には、傾斜するように形成されている挿入溝１７が設けられ、
前記ヒンジ部１６には圧着部２０が挿入固定されており、
前記圧着部２０の側面にはヒンジ２１が形成されており、前記ヒンジ２１の外側には突起部２２が形成され、
前記圧着部２０の下側の内部には突顎２３が設けられ、前記突顎２３と対応するように前記カバー部１０の下側には凹溝２４が設けられ、
前記圧着部２０の側面に取っ手部２５が設けられている、
ことを特徴とする、携帯電話用防水ケース。
【請求項２】
前記密閉部２の上、下側に形成されている凸部３０を各々分離して前記折り部３を削除して前記防水ケース１の反物が折り部３１の役割を果たすようにしたことを特徴とする、請求項１に記載の携帯電話用防水ケース。
【請求項３】
前記密閉部２の上部の両側に前記凸部４０を各々分離して装着して、前記密閉部２を畳む機能を取り除いて前記凸部４０を互いに結合した後に前記カバー部１０を利用して前記密閉部２を挿入固定されるようにしたことを特徴とする、請求項１に記載の携帯電話用防水ケース。
【発明の詳細な説明】
【技術分野】
【０００１】
本発明は、携帯電話のような貴重品を水から保護できるように発明した携帯電話用防水ケースに関し、特に水泳をしたり雨が降る時に貴重品を前記携帯電話用防水ケースに保管すれば、水から保護できるように発明したもので、特に作動方法が簡単で防水効果を高めることができるように発明したものである。
【背景技術】
【０００２】
従来にはファスナーを利用して密閉をした後に巻いて防水処理する構造があったが、使用中に前記巻いて密閉する部分がしっかり固定できず緩む問題点があって、長時間使用時に水が内部に流入する問題点が発生した。
【０００３】
また、本出願人が開発した韓国特許登録出願番号１０-２０１３-００２７９００号は、構造は簡単であるが長時間使用時に上側にある圧着部の圧力が弱くなって、防水効果が落ちる問題点があった。
【０００４】
このような場合に内部にある携帯電話のような貴重品が水によって損傷する問題点があった。
【先行技術文献】
【特許文献】
【０００５】
【特許文献１】韓国特許登録出願番号１０-２０１３-００２７９００号
【発明の概要】
【発明が解決しようとする課題】
【０００６】
そこで、本発明は前記のような問題点を解決するためのものであって、携帯電話のような貴重品を水から保護できるように携帯電話用防水ケースを発明したもので、特に作動方法が簡単で防水効果を増大して水中のプールでも携帯電話を安全に保護できる携帯電話用防水ケースを提供することにその目的がある。
【課題を解決するための手段】
【０００７】
前記のような目的を達成するために、本発明は携帯電話用防水ケースの上側に硬質の合成樹脂で製作された密閉部を折り畳んで１次防水を行い、前記密閉部の外側面を取り囲んで固定されるカバー部を装着して２次防水を行う。
【０００８】
前記カバー部は、両側に圧着部を形成して、前記密閉部を圧迫して水が内部に全く染み込まないようにするため、防水効果を最大化させるように発明したものである。
【発明の効果】
【０００９】
以上説明したように、本発明は、携帯電話のような貴重品を水から保護できるように携帯電話用防水ケースを発明し、プールでも携帯電話のような高価な製品を保護することができる。
【００１０】
携帯電話用防水ケースの上側に位置するカバー部に圧着部を形成して、前記圧着部によって防水ケースの上側をさらに圧迫して防水効果を高めるため、外部の水が防水ケースの内部に全く流入しない効果がある。
【図面の簡単な説明】
【００１１】
【図１】本発明の密閉部の斜視図である。
【図２】本発明の密閉部を畳んだ時の縦断面図である。
【図３】本発明の密閉部がカバー部に固定される時の縦断面図である。
【図４】本発明のカバー部の縦断面図である。
【図５】本発明の全体斜視図である。
【図６】本発明の圧着部を上側に回動する時の使用状態図である。
【図７】本発明の圧着部の突顎部を示した一部縦断面図である。
【図８】本発明のカバー部と圧着部の全体構成図である。
【図９】本発明のヒンジ部を示した一部切開図である。
【図１０】本発明の圧着部がカバー部を圧迫する状態を示した一実施形態である。
【図１１】本発明の圧着部がカバー部を解除する状態を示した一実施形態である。
【図１２】本発明の密閉部の他の実施形態の装着状態図である。
【図１３】本発明の密閉部の他の実施形態の分離斜視図である。
【図１４】本発明の密閉部のさらに他の実施形態の縦断面図である。
【図１５】本発明の密閉部のさらに他の実施形態の斜視図である。
【発明を実施するための形態】
【００１２】
以下、本発明の実施形態について添付例示図面を参照して詳細に説明する。
【００１３】
下側と両側の周縁を密封して、上側に開封部を形成した防水ケース１において、防水ケース１の上側面に密閉部２を形成し、密閉部２は、横中心部を薄く形成して、密閉部２が折り畳まれるように折り部３を形成し、前記折り部３の上、下側に多数の凸部４を形成し、前記密閉部２の中心部の内側に突起５と凹溝６を形成して、密閉部２を折り畳む時に前記突起５と凹溝６によって密着効果を高めるようにする。
【００１４】
前記密閉部２の外側面を取り囲んで固定されるようにカバー部１０を形成し前記カバー部１０は、２つのユニット（ｕｎｉｔ）（１０ａ、１０ｂ）で形成されて、前記ユニット（ｕｎｉｔ）（１０ａ、１０ｂ）の上側の内部にはガイド凸部１１とガイド凹溝１２を各々形成して、２つのユニット（ｕｎｉｔ）（１０ａ、１０ｂ）が結合する時に結合し易くする。
【００１５】
折り畳まれている密閉部２の形状に合うようにカバー部１０の内側には圧着溝１３を形成して前記密閉部２が側面で圧着溝１３に挟まれるようにする。前記ガイド凸部１１とガイド凹溝１２の下側には、スプリング１４を装着して前記２つのユニット（ｕｎｉｔ）（１０ａ、１０ｂ）が互いに分離して圧着溝１３をより広く形成するようにして、密閉部２が挿入される時に挿入し易くする。
【００１６】
前記カバー部１０の両側の上部には、開口部１５が形成されているヒンジ部１６を形成し、ヒンジ部１６の外側には傾斜するように形成されている挿入溝１７を形成する。
【００１７】
前記ヒンジ部１６に圧着部２０を挿入固定して、前記圧着部２０は、側面にヒンジ２１が形成されていて、前記ヒンジ２１の外側には前記挿入溝１７に結合されるように直角に突起部２２を形成する。
【００１８】
圧着部２０が水平を維持する時には、前記突起部２２がヒンジ部１６の外側を圧迫して前記２つのユニット（ｕｎｉｔ）（１０ａ、１０ｂ）が圧着されるようにして密閉部２の密封状態を強化する。
【００１９】
圧着部２０をヒンジ部１６を中心に上側に回動すると、突起部２２が回転しながら前記挿入溝１７に位置し、前記スプリングの力で２つのユニット（ｕｎｉｔ）（１０ａ、１０ｂ）は、外側に広がるようになる。
【００２０】
この時、密閉部２がカバー部１０から抜け出しながら容易に分離される。
【００２１】
前記圧着部２０の下側の内部に突顎２３が形成されて、これと対応するカバー部１０の下側に凹溝２４を形成して、前記圧着部２０が下側に移動する時に突顎２３が凹溝２４に挿入固定されるため、圧着部２０が上側に簡単に移動しない。
【００２２】
圧着部２０の側面に取っ手部２５を形成して、前記圧着部２０を回動する時に指で取っ手部２５を取って上側に回動させるようにする。
【００２３】
図１２、図１３は、密閉部の他の実施形態であり、密閉部２の上、下側に形成されている凸部３０を各々分離して、前記折り部３を削除して、防水ケース１の反物が折り部３１の役割を果たすことができるようにする。
【００２４】
前記防水ケース１の反物は、軟質の材質で形成されているので、折りたたみ易い長所がある。
【００２５】
図１４、図１５は、密閉部２のさらに他の実施形態であり、密閉部２の上部の両側に前記凸部４０を各々分離して装着したもので、このような構造は、密閉部２を折り畳む機能を取り除いて前記凸部４０を互いに結合した後にカバー部１０を利用して前記密閉部２を挿入固定されるようにする。
【００２６】
前記のように構成された本発明の作用を説明すると下記の通りである。
【００２７】
カバー部１０の両側にある圧着部２０を上側に移動すると、前記圧着部２０の突起部２２に挿入溝１７が挿入しながら前記２つのユニット（１０ａ、１０ｂ）に形成されている圧着溝１３がスプリング１４の力で広がるようになる。
【００２８】
防水ケース１の内側に携帯電話を挿入した後、上側に形成されている密閉部２を畳んだ後に前記カバー部１０の圧着溝１３に側面に挿入して挟むようになる。
【００２９】
この時、前記圧着部２０を下側に移動すると、圧着部２０の突起部２２が挿入溝１７から抜け出しながら前記２つのユニット（１０ａ、１０ｂ）を圧迫して、これにより、圧着溝１３に圧迫を受けながら密閉部２をより密着させて防水効果を高めるようにしたものである。
【００３０】
防水ケース１をカバー部１０から引き出す時には、圧着部２０をヒンジ部１６を中心に上側に回動すると、前記突顎２３がカバー部１０に形成されている凹溝２４から抜け出しながら上側に移動する。
【００３１】
前記圧着部２０の突起部２２にカバー部１０の挿入溝１７が位置して、前記カバー部１０は、スプリング１４の力で両側に広がって、これにより防水ケース１の密閉部２を容易に側面に分離できる。
【００３２】
このように圧着部２０の突起部２２とカバー部１０の挿入溝１７の位置によって、前記カバー部１０を圧迫して解除できる。
【００３３】
図１２、図１３で説明したように、密閉部２の上、下側に形成されている凸部３０を各々分離して、防水ケース１の反物が折り部３１の役割を果たせるようにしたもので、
【００３４】
前記防水ケース１の反物は、軟質の材質で形成されているので、折りたたみ易い長所がある。
【００３５】
図１４、図１５で説明したように、密閉部２の上部の両側に前記凸部４０を各々分離して装着したもので、このような構造は、密閉部２を畳む機能を取り除いて、前記凸部４０を互いに結合した後にカバー部１０を利用して前記密閉部２を挿入固定するので、作業し易くなる。
【符号の説明】
【００３６】
２      密閉部
３      折り部
４      凸部
５      突起
６      凹溝
１０      カバー部
１３      圧着溝
１４      スプリング
１６      ヒンジ部
１７      挿入溝
２０      圧着部
２１      ヒンジ
２２      突起部
２３      突顎
２４      凹溝
【図１】
0006046825.tif 000002
【図２】
0006046825.tif 000003
【図３】
0006046825.tif 000004
【図４】
0006046825.tif 000005
【図５】
0006046825.tif 000006
【図６】
0006046825.tif 000007
【図７】
0006046825.tif 000008
【図８】
0006046825.tif 000009
【図９】
0006046825.tif 000010
【図１０】
0006046825.tif 000011
【図１１】
0006046825.tif 000012
【図１２】
0006046825.tif 000013
【図１３】
0006046825.tif 000014
【図１４】
0006046825.tif 000015
【図１５】
0006046825.tif 000016